(57)【特許請求の範囲】
【請求項１】
基台と蓋体とから成って、両者の嵌合状態において、その内部に配線収容部が長手方向に形成される配線用保護カバーであって、
前記配線収容部の一側部において障害物を回避する手段として、前記基台及び蓋体の双方を長手方向に沿って部分的に除去可能とするために、長手方向に沿った折取溝を有する折取予定部が前記基台及び蓋体の双方に形成され、
壁面等から突出した障害物を回避すべく部分的に折取予定部を除去した基台は、折取予定部を壁面等に当接させて床面等に設置可能で、
前記障害物を回避すべく部分的に折取予定部を除去した蓋体は、床面等に設置された前記基台に嵌合可能に形成されてなることを特徴とする配線用保護カバー。
【請求項２】
基台と蓋体とから成って、両者の嵌合状態において、その内部に配線収容部が長手方向に形成される配線用保護カバーであって、
前記配線収容部の一側部において障害物を回避する手段として、前記基台を長手方向に沿って部分的に除去可能とするために、長手方向に沿った折取溝を有する折取予定部が前記基台に形成され、
壁面等から突出した障害物を回避すべく部分的に折取予定部を除去した基台は、折取予定部を壁面等に当接させて床面等に設置可能で、
前記蓋体は、床面等に設置された基台に嵌合可能に形成されてなることを特徴とする配線用保護カバー。
【請求項３】
折取溝は、複数本で構成されて、基台又は蓋体の幅方向に沿って段階的に形成されていることを特徴とする請求項１又は２に記載の配線用保護カバー。
【発明の詳細な説明】
【０００１】
【発明の属する技術分野】
本発明は、基台と蓋体とから成って、両者の嵌合状態において、電話線等の線類を配線して収容するための配線収容部が長手方向に形成されている配線用保護カバーに関するものである。
【０００２】
【従来の技術】
建物の壁面や床面に沿って電気配線された電話線等の線類を内部に収容するための配線用保護カバー（以下、単に「保護カバー」と略す）は、基台と、これに嵌合される蓋体とから成って、両者の嵌合状態において、その内部に配線収容部が長手方向に形成される構造であって、種々のものがある。例えば、上記保護カバーを壁際に沿って設置する場合には、美観を害さないために、或いは自身が障害となるのを避けるために、保護カバーの一側部を壁面に当接させて、該壁面と床面とが交差する隅角部に配置することが望ましい。
【０００３】
しかしながら、上記壁面からは、建物構造からして種々の造営材の一部が突設されていることが多い。例えば、本発明の実施例を表した図１に示されるように、柱Ｐの一部が室内側に突設されていたり、ドアーＤ、或いは窓等の周縁を構成する周縁枠Ｅが室内側に突設されている場合がある。また、各種造営材の突出部は、上記した床面と壁面とが交差する入隅空間部のみならず、壁面どうしが交差したり、壁面と天井面とが交差する入隅空間部においても、発生することがある。このような場合には、室内側に突設されている上記各部材の部分では、壁面Ｗに当接させた状態で、保護カバーを壁際に設置させることができないために、壁面Ｗとの間において、各部材の突設長に対応した隙間が形成されてしまう。このため、室内の外観が著しく害されて、見栄えが悪くなる。また、上記各部材の突出に対応して、当該突出部のみにクランク軸状に折り曲げられたカバー附属品（図示せず）を設置すれば、上記隙間を解消して、保護カバーを壁際に設置できる場合もあるが、このカバー附属品を用いて施工するのは、面倒で、しかも作業が困難となる。
【０００４】
【発明が解決しようとする課題】
本発明の課題は、壁面等から僅かに突出していて、カバー附属品の使用が困難な障害物があっても、これを回避して、壁面等に保護カバーを当接できるようにして、室内の美観を害さずに、保護カバーの設置を可能にすることである。
【０００５】
【課題を解決するための手段】
この課題を解決するための請求項１の発明は、基台と蓋体とから成って、両者の嵌合状態において、その内部に配線収容部が長手方向に形成される保護カバーであって、前記配線収容部の一側部において障害物を回避する手段として、前記基台及び蓋体の双方を長手方向に沿って部分的に除去可能とするために、長手方向に沿った折取溝を有する折取予定部が前記基台及び蓋体の双方に形成され、壁面等から突出した障害物を回避すべく部分的に折取予定部を除去した基台は、折取予定部を壁面等に当接させて床面等に設置可能で、前記障害物を回避すべく部分的に折取予定部を除去した蓋体は、床面等に設置された前記基台に嵌合可能に形成されてなることを特徴としている。
請求項１の発明によれば、壁面等から突出している障害物がある場合には、保護カバーにおける当該障害物に対応する部分においてのみ、障害物の幅に対応する長さだけ、該保護カバーの配線収容部の一側部において、その基台及び蓋体の双方の折取予定部を折取溝の部分において除去すればよい。これにより、壁面等から突出している障害物との干渉を避けて、該壁面等に基台の折取予定部を当接させた状態で、保護カバーを壁際に設置できる。これにより、保護カバーと壁面等との間において、隙間が生じなくなって、室内の美観が保たれる。また、基台及び蓋体の双方に折取予定部が設けられているために、基台の折取予定部の自由端部を壁面等に当接させた状態を確認して基台を床面等に設置でき、この状態で基台に対して蓋体が嵌合可能であるので、施工が容易となる利点がある。
【０００６】
また、請求項２の発明は、請求項１の発明が基台及び蓋体の双方に折取予定部が形成されているのに対して、基台の側のみに折取予定部が形成された形態であって、その作用効果は、蓋体側の折取予定部を折り取る必要がない点を除いて、請求項１の発明の作用効果と実質的に同一である。
【０００７】
また、請求項３の発明によれば、障害物の突出長は、種々異なるので、基台及び蓋体の双方に、或いは基台の側のみに形成された折取予定部に複数本の折取溝を、その幅方向に沿って段階的に形成されているために、障害物の突出長に応じて、基台及び蓋体の双方を、或いは基台の側のみを切除できる。また、折取溝が形成されている基台の折取予定部の下方を空間部にしておくと、保護カバーを壁面等に当接させて設置した状態において、該折取予定部の下方の隅角部に空間部が形成されて、壁面と床面とが交差する隅角部に目地材等の異物が存していても、該異物と干渉することなく、保護カバーを構成する基台を壁面等に当接させられる利点がある。
【０００８】
【発明の実施の形態】
以下、実施例を挙げて、本発明を更に詳細に説明する。図１は、本発明に係る保護カバーＣ1 を設置した室内の斜視図であり、図２は、同じく壁面Ｗから突出している柱Ｐ及びドアーＤの周縁枠Ｅの部分の平面図であり、図３は、図２のＸ−Ｘ線断面図であり、図４は、図２のＹ−Ｙ線断面図であり、図５は、保護カバーＣ1 の斜視図であり、図６は、保護カバーＣ1 の基台１０と蓋体３０とを分離させた状態の断面図である。最初に、図５及び図６を参照にして、保護カバーＣ1 の構成について説明し、その後に、壁面Ｗから室内側に突出している障害物を回避して行う該保護カバーＣ1 の施工方法について説明する。保護カバーＣ1 は、その横断面形状が全長に亘って一定の長尺部材であって、上面が開口した基台１０と、該基台１０の開口を覆って、これに対して嵌合される蓋体３０との２つの部材で構成される。
【０００９】
基台１０は、床面Ｆ、或いは壁面Ｗに密着される基板１１の幅方向の一端部に第１仕切壁１２が立設され、該基板１１の幅方向の他端部よりも内側に入った部分に第２仕切壁１３が立設され、前記第１仕切壁１２の上端部には、側方に向けて折取予定板１４が略水平に延設され、該折取予定板１４の基端部に第１嵌合溝１５が設けられ、更に、前記基板１１の幅方向の他端部に第２嵌合溝１６が設けられた構成である。
【００１０】
基台１０及び蓋体３０は、その横断面が全ての部分で同一の長尺材であるために、これらに設けられている前記第１仕切壁１２等は、全て、長手方向に沿って連続して設けられている。また、折取予定板１４の自由端部は、壁面Ｗ等に当接される部分であって、第２仕切壁１３から基板１１の他端部（第２嵌合溝１６の側）にかけては、その上面が緩やかな円弧状に形成されて、基板１１の他端部においては、該基板１１の板厚のみが残るような形状になっている。また、基板１１と第１仕切壁１２との接続部は、傾斜面状に形成されている。
【００１１】
一方、蓋体３０は、基台１０の上面形状に倣った蓋板３１の下面に、基台１０の第１及び第２の各嵌合溝１５，１６にそれぞれ嵌合される第１及び第２の各嵌合突起３２，３３が設けられた構成である。蓋板３１における基台１０の折取予定板１４に対応する部分（基台１０と蓋体３０との嵌合状態において、基台１０の折取予定板１４に重ね合わせられる部分）は、蓋体３０の側の折取予定板３４を構成している。また、蓋体３０の蓋板３１の下面には、基台１０の第２仕切壁１３の内側に係合される断面半円形の係合突条３５が設けられている。
【００１２】
また、基台１０の折取予定板１４の上面には、２本の折取溝１７が、該基台１０の幅方向に沿って所定間隔をおいて設けられている。また、蓋体３０の折取予定板３４の下面には、基台１０の上記各折取溝１７に対応する各折取溝３６がそれぞれ設けられている。
【００１３】
そして、基台１０に設けられた第１及び第２の各嵌合溝１５，１６に、蓋体３０に設けられた第１及び第２の各嵌合突起３２，３３をそれぞれ嵌合させると、基台１０の開口が蓋体３０により覆われた状態で、両者が嵌合されて一体化され、基台１０の第１及び第２の各仕切壁１２，１３と、蓋体３０の蓋板３１とで形成される空間は、配線された線類を収容するための配線収容空間１となる。この状態では、図４に示されるように、基台１０と蓋体３０の各折取予定板１４，３４は、非接触状態で重なり合っている。
【００１４】
そして、上記保護カバーＣ1 を使用して、壁面Ｗ等から僅かに突出した障害物がある室内において、電話線等の線類を壁際において配線するには、以下のようにして行う。図１及び図２に示されるように、壁面Ｗと床面Ｆとが交差する部分には、柱Ｐ及びドアーＤの周縁枠Ｅの一部が室内側に僅かに突出しており、壁面Ｗと天井面Ａとが交差する部分には、カーテンレールＲが突出状態で設けられている。このため、壁面Ｗと床面Ｆとが交差する部分に設置される保護カバーＣ1 は、前記柱Ｐに設置される部分においては、基台１０及び蓋体３０のいずれもが、内方の折取溝１７，３６の部分において柱Ｐの幅Ｂ1 に対応する長さだけ折り取られて、欠落溝部２が形成され、前記周縁枠Ｅに設置される部分においては、基台１０及び蓋体３０のいずれもが、外方の折取溝１７，３６の部分において周縁枠Ｅの幅Ｂ2 に対応する長さだけ折り取られて、欠落溝部３が形成される。
【００１５】
このため、保護カバーＣ1 の基台１０及び蓋体３０の各折取予定板１４，３４の部分に設けられた各欠落溝部２，３を柱Ｐ及び周縁枠Ｅの部分に嵌め込んだ状態にして、該保護カバーＣ1 を壁際に設置する（図３参照）。また、柱Ｐ、周縁枠Ｅ等の障害物がない部分においては、図４に示されるように、保護カバーＣ1 を構成する基台１０及び蓋体３０の各折取予定板１４，３４の自由端部が壁面Ｗに当接するようにして、設置される。これにより、柱Ｐ等の障害物が室内側に突出していても、壁面Ｗとの間において隙間を生ずることなく、保護カバーＣ1 を設置できる。また、隣接する壁面Ｗが交差する入隅部にも保護カバーＣ1 が垂直に設置されて、各折取予定板１４，３４の上端部の前記カーテンレールＲと干渉する部分は、上記と同様にして、内方或いは外方のいずれかの折取溝１７，３６の部分で僅かの長さだけ折り取られて、欠落溝部が形成され、この欠落溝部にカーテンレールＲの端部が嵌まり込んでいる。これにより、カーテンレールＲと干渉することなく、室内の垂直入隅部に保護カバーＣ1 を設置できる。
【００１６】
また、図４に示されるように、本実施例の保護カバーＣ1 は、基台１０及び蓋体３０の各折取予定板１４，３４の直下には、保護カバーＣ1 の構成部分が全く存していなくて、空間部となっているために、各折取予定板１４，３４の自由端部を壁面Ｗに当接させた設置状態では、各折取予定板１４，３４と壁面Ｗと床面Ｆとの間で空間部４が形成される構成となる。よって、壁面Ｗと床面Ｆとの交差部分に異物５が存している場合にも、この異物５と保護カバーＣ1 とが干渉しなくなって、異物５の存在にもかかわらず、各折取予定板１４，３４の自由端部を壁面Ｗに当接させられる利点がある。また、図３に示されるように、基台１０の基板１１と第１仕切壁１２とは、傾斜板部１８を介して接続されているので、各折取予定板１４，３４が全幅で折り取られて、第１仕切壁１２が壁面Ｗに当接する場合においても、壁面Ｗと床面Ｆとの交差部に存する異物５と干渉せずに、保護カバーＣ1 の設置が可能となる。なお、図３及び図４において、１９は、基台１０を床面等に固定するためのビスの先端を当てがうために、その基板１１の幅方向の略中央部に設けられた案内凹条を示し、６は、保護カバーＣ1 の配線収容空間１に収容された電話線等の各種線類を示す。
【００１７】
引き続いて、本発明の他の実施例の保護カバーＣ2 ，Ｃ3 について簡単に説明する。なお、前記保護カバーＣ1 と同一又は同等部分には、同一符号又はダッシュ「’」，「”」を付した同等符号を付し、既述部分との重複説明を避けて、各実施例の特有部分についてのみ説明する。前記保護カバーＣ1 は、基台１０と蓋体３０の各折取予定板１４，３４が互いに重なり合う構造であるために、保護カバーＣ1 の大部分を占める非折取り部分（障害物の存しない位置に設置される部分）の壁際部の強度が高くなって、当該部分に荷重が作用しても、保護カバーＣ1 が変形しない利点がある。図７に示される保護カバーＣ2 は、基台１０の側のみに折取予定板１４を備え、第１仕切壁１２が外方に傾斜して設けられ、該第１仕切壁１２の上端部に略水平に設けられた前記折取予定板１４の下面に複数本の折取溝１７が設けられた構造である。保護カバーＣ2 においては、上記保護カバーＣ1 と同様に、壁際に設置した際に、空間部４が形成される利点がある。また、保護カバーＣ2 は、最初に床面Ｆに設置する基台１０の側に折取予定板１４が設けられているために、この折取予定板１４の自由端部を壁面Ｗに当接させた状態を確認して、基台１０を床面Ｆに固定できて、施工が容易となる利点がある。
【００１８】
また、図８に示される保護カバーＣ3 は、前記保護カバーＣ1 の蓋体３０と同一の蓋体３０を備え、基台１０の基板１１が、そのまま外方に延設されて折取予定板１４’が形成され、この折取予定板１４’の下面側に複数本の各折取溝１７が設けられ、更に、該折取予定板１４’の上面には、蓋体３０の折取予定板３４を下方から支持するための一対の支持板２１が設けられた構成である。本実施例の保護カバーＣ3 は、基台１０’の支持板２１によって、蓋体３０’の折取予定板３４が支持されるために、その大部分を占める前記非折取り部分の壁際部の強度が一層高くなる利点がある。
【００１９】
【００２０】
【００２１】
【００２２】
上記した説明においては、多数の実施例を挙げて、互いに嵌合される基台及び蓋体の構造（形状）と、基台及び蓋体の双方に、或いは基台の側のみに設けられる折取予定部について種々説明したが、本発明は、基台と蓋体とが互いに嵌合されて、両者の間に配線収容部が形成されること、長手方向に沿った折取溝を有し、しかも設置状態で自由端部が壁面等に当接可能な折取予定部が基台及び蓋体の双方に、或いは基台の側のみに形成されていることの２つの要件を充足する限り、基台及び蓋体の全体形状、或いは折取溝が設けられる折取予定部の形状は、上記各実施例に限定されず、如何なるものであってもよい。
【００２３】
【発明の効果】
本発明に係る保護カバーを使用すれば、壁面等から僅かに突出していて、カバー附属品の使用が困難な障害物があっても、これを回避して、壁面等に保護カバーを当接できるため、室内の美観を害さずに、保護カバーを設置できる。また、基台及び蓋体の双方に、或いは基台の側のみに設けられる折取予定部に複数本の折取溝を段階的に形成しておくと、障害物の突出量に応じた幅でもって、保護カバーの一部を折り取ることができて、障害物と保護カバーとの間に生ずる隙間を最少にすることができる。また、基台及び蓋体の双方に、或いは基台の側のみに設けられる折取予定部の下方を空間部にしておくと、保護カバーを壁面等に当接させて設置した状態において、該折取予定部の下方の隅角部に空間部が形成されて、壁面と床面とが交差する隅角部に目地材等の異物が存していても、該異物と干渉することなく、保護カバーを壁面等に当接させられるという特有の利点が生ずる。更に、基台及び蓋体の双方に、或いは基台の側のみに折取予定部が設けられているために、基台の折取予定部の自由端部を壁面等に当接させた状態を確認して基台を床面等に固定でき、この状態で基台に対して蓋体が嵌合可能であるので、施工が容易となる利点がある。
【図面の簡単な説明】
【図１】  本発明に係る保護カバーＣ1 を設置した室内の斜視図である。
【図２】  同じく壁面Ｗから突出している障害物である柱Ｐ及びドアーＤの周縁枠Ｅの部分の平面図である。
【図３】  図２のＸ−Ｘ線断面図である。
【図４】  図２のＹ−Ｙ線断面図である。
【図５】  保護カバーＣ1 の斜視図である。
【図６】  保護カバーＣ1 の基台１０と蓋体３０とを分離させた状態の断面図である。
【図７】  保護カバーＣ2 の断面図である。
【図８】  保護カバーＣ3 の断面図である。
【符号の説明】
Ｃ1 〜Ｃ3 ：保護カバー
Ｅ：周縁枠（障害物）
Ｐ：柱（障害物）
１：配線収容空間（配線収容部）
４：空間部
１０：基台
１４，１４' ：折取予定板（折取予定部）
１７，３６：折取溝
３０：蓋体
３４：折取予定板（折取予定部）
【図１】
0004155387.tif 000002
【図２】
0004155387.tif 000003
【図３】
0004155387.tif 000004
【図４】
0004155387.tif 000005
【図５】
0004155387.tif 000006
【図６】
0004155387.tif 000007
【図７】
0004155387.tif 000008
【図８】
0004155387.tif 000009